(57)【要約】【課題】    本発明は、発光ダイオ−ドの頂部より発する光を火袋に反射させて装飾効果を増大させたぼんぼりを提供することを目的としている。【解決手段】    ぼんぼりＡは、基台１と、この基台１の上面に設けられた支持脚２と、この支持脚２に支持された支持台３と、この支持台３に支持された火袋４と、支持台３の火袋４の内に設けられた発光ダイオ−ド６と、この発光ダイオ−ド６の頂部より発する光を火袋４に反射させるように、発光ダイオ−ド６の頂部の上に設けられた反射部材７とを備えている。【選択図】図１
2005347056.tif 000002
【特許請求の範囲】
【請求項１】
基台と、
この基台の上面に設けられた支持脚と、
この支持脚に支持された支持台と、
この支持台に支持された火袋と、
前記支持台の前記火袋の内に設けられた発光ダイオ−ドと、
この発光ダイオ−ドの頂部より発する光を前記火袋に反射させるように、前記発光ダイオ−ドの頂部の上に設けられた反射部材と
を備えていることを特徴とするぼんぼり。
【請求項２】
火袋の覆い部には絵柄が付され、
反射部材は、発光ダイオ−ドの取付部の外周に係止する係止部を有する本体と、この本体の頂部に接続され、前記発光ダイオ−ドの頂部より発する光を前記火袋の絵柄に反射させるように傾斜した光反射傾斜部とを備えている
ことを特徴とする請求項１記載のぼんぼり。
【請求項３】
火袋の覆い部には絵柄が付され、
反射部材は、火袋に係止する係止部を有する本体と、この本体に接続され、前記発光ダイオ−ドの頂部より発する光を前記火袋の絵柄に反射させるように傾斜した光反射傾斜部とを備えている
ことを特徴とする請求項１記載のぼんぼり。
【発明の詳細な説明】
【技術分野】
【０００１】
本発明は、ぼんぼりに係り、特に、発光ダイオ−ドの頂部より発する光を火袋に反射させて装飾効果を増大させたぼんぼりに関する。
【背景技術】
【０００２】
電池を内蔵すると共に、光源として発光ダイオ−ドを備えたコ−ドレス化したぼんぼりがある（例えば、特許文献１参照）。
【特許文献１】特開平１０−１０６３０８号公報
【発明の開示】
【発明が解決しようとする課題】
【０００３】
上述のぼんぼりにあっては、発光ダイオ−ドを使用した分、消費電力の軽減化を図って、電池の寿命を長くすることができる。
しかしながら、発光ダイオ−ドの頂部より発する光は火袋に到達せず、火袋の明るさに反映していないという問題点が生じた。
本発明は、上記問題点を除去するようにしたぼんぼりを提供するものである。
【課題を解決するための手段】
【０００４】
上記目的を達成するために、請求項１記載のぼんぼりは、基台と、この基台の上面に設けられた支持脚と、この支持脚に支持された支持台と、この支持台に支持された火袋と、前記支持台の前記火袋の内に設けられた発光ダイオ−ドと、この発光ダイオ−ドの頂部より発する光を前記火袋に反射させるように、前記発光ダイオ−ドの頂部の上に設けられた反射部材とを備えているものである。
【０００５】
請求項２記載のぼんぼりは、請求項１記載のぼんぼりにおいて、火袋の覆い部には絵柄が付され、反射部材は、発光ダイオ−ドの取付部の外周に係止する係止部を有する本体と、この本体の頂部に接続され、前記発光ダイオ−ドの頂部より発する光を前記火袋の絵柄に反射させるように傾斜した光反射傾斜部とを備えているものである。
【０００６】
請求項３記載のぼんぼりは、請求項１記載のぼんぼりにおいて、火袋の覆い部には絵柄が付され、反射部材は、火袋に係止する係止部を有する本体と、この本体に接続され、前記発光ダイオ−ドの頂部より発する光を前記火袋の絵柄に反射させるように傾斜した光反射傾斜部とを備えているものである。
【発明の効果】
【０００７】
請求項１記載のぼんぼりによれば、発光ダイオ−ドの頂部の上に設けられた反射部材により、発光ダイオ−ドの頂部より発する光を火袋に反射させるようにしたため、発光ダイオ−ドの出力を上げることなく、発光ダイオ−ドの頂部より発する光を火袋に反射させて装飾効果を増大させることができる。
【０００８】
請求項２記載のぼんぼりによれば、前述した請求項１記載の発明の効果に加え、反射部材の本体と反射部材の光反射傾斜部により、発光ダイオ−ドを覆うため、発光ダイオ−ドを保護することができる。
【実施例】
【０００９】
本発明の一実施例のひな飾り台を図面を参照して説明する。
図１乃至図３において、Ａはぼんぼりで、ぼんぼりＡは、電池を内蔵すると共に、光源として発光ダイオ−ドを備えたコ−ドレス化したものである。
【００１０】
ぼんぼりＡは、概略的に、基台１と、この基台１の上面に設けられた支持脚２と、この支持脚２に支持された支持台３と、この支持台３に支持された火袋４とを備えている。    基台１は、略扁平な半球状に形成され、内部に電池５を内蔵する空所11、この空所11を着脱自在に蓋をする蓋体12を有する。電池５は、例えば、薄い円形電池であるボタン電池である。
【００１１】
支持脚２の一端は、基台１の上面に立設すると共に、内部にリ−ド線（図示せず）を収納するため、中空体となっており、支持脚２の他端は、支持台３に接続されている。
火袋４は、中空の略球体の上端と下端を切断した上端開口縁部44と下端開口縁部45とを備えた枠体41と、この枠体41の内側に位置して枠体41の内部を布等で被覆する覆い部42で形成されている。
【００１２】
６は発光ダイオ−ドで、発光ダイオ−ド６は支持台３の火袋の４内に設けられている。
【００１３】
７は反射部材で、反射部材７は発光ダイオ−ド６の頂部より発する光を火袋４（特に、覆い部42には絵柄の面）に反射させるように、発光ダイオ−ド６の頂部の上に設けられている。
その結果、発光ダイオ−ド６の頂部より発する光を火袋４に反射させるようにしたため、発光ダイオ−ド６の出力を上げることなく、発光ダイオ−ド６の頂部より発する光を火袋４に反射させて光りによる装飾効果を増大させることができる。
【００１４】
反射部材７は、発光ダイオ−ド６の取付部61の外周に係止する係止部を有する本体71と、この本体71の頂部に接続され、発光ダイオ−ド６の頂部より発する光を火袋４の絵柄に反射させるように傾斜した光反射傾斜部72とを備えている。
特に、反射部材７の本体71と反射部材７の光反射傾斜部72により、発光ダイオ−ド６を覆うため、発光ダイオ−ド６が剥き出し状態となっておらず、発光ダイオ−ド６を保護することができる。
なお、本体71の係止部は、発光ダイオ−ド６の取付部61の外周に係止するように、例えば、一枚の板を折り曲げて略筒形状にして形成する。
【００１５】
上述した実施例においては、反射部材７を支持台３の側（発光ダイオ−ド６の取付部61の外周に係止）で支持するようにしたが、本願発明にあっては、これに限らず、反射部材７’は、例えば、図４及び図５に示すように、火袋４に係止する係止部を有する本体71' と、この本体71' に接続され、発光ダイオ−ド６の頂部より発する光を火袋４の絵柄に反射させるように傾斜した光反射傾斜部72’とを備えるようにしても良い。火袋４に係止する部位は、例えば、火袋４の上端開口縁部44である。なお、図４及び図５においては、図１乃至図３と同一部分に同一符号を付して、その説明を省略している。
【図面の簡単な説明】
【００１６】
【図１】図１は、本発明の一実施例のぼんぼりの一部を破断して示す概略的一部破断正断面図である。
【図２】図２は、図１のぼんぼりを分解して示す概略的分解斜視図である。
【図３】図３は、図１のぼんぼりの要部を拡大して示す概略的要部拡大断面図である。
【図４】図４は、図１のぼんぼりと異なるぼんぼりを分解して示す概略的分解斜視図である。
【図５】図５は、図４のぼんぼりの要部を拡大して示す概略的要部拡大断面図である。
【符号の説明】
【００１７】
Ａ  ・・・・・ぼんぼり
１  ・・・・・基台
２  ・・・・・支持脚
３  ・・・・・支持台
４  ・・・・・火袋
６  ・・・・・発光ダイオ−ド
７  ・・・・・反射部材
【図１】
2005347056.tif 000003
【図２】
2005347056.tif 000004
【図３】
2005347056.tif 000005
【図４】
2005347056.tif 000006
【図５】
2005347056.tif 000007